(57)【要約】      （修正有）【課題】限られたコンピューター室において、なるべく多くのサーバラックを効率的に配置して、データセンターの省スペース化を図る。【解決手段】サーバラックシステムは、連結状態で並設した複数のラックユニットによって構成される。各ラックユニットには、ラックユニットを前後水平方向に移動させる案内手段（スライド式ラック台座１１）を設ける。ラックユニットを設置する床面に複数のラックユニットを左右水平方向へ移動させる案内手段を設ける。【選択図】図１
2016170457.tif 000002
【特許請求の範囲】
【請求項１】
連結状態で並設した複数のラックユニットによって構成され、各ラックユニットは、ラックユニットを前後水平方向に移動させる案内手段を設け、ラックユニットを設置する床面に複数のラックユニットを左右水平方向へ移動させる案内手段を設けることを特徴とするサーバラックシステム。
【請求項２】
請求項１に記載のサーバラックシステムであって、
台座下部にロック機構を備えることを特徴とするサーバラックシステム
【請求項３】
請求項１乃至請求項２のいずれか一項に記載のサーバラックシステムであって、
ラックをスライドした場合や新規にラックを設置した場合でも、フリーアクセス下からのケーブル引き込み口を柔軟に変更することができるフリーアクセス機構を備えることを特徴とするサーバラックシステム。
【発明の詳細な説明】
【技術分野】
【０００１】
サーバラックシステムの技術に関する。
【背景技術】
【０００２】
企業が利用するITシステムやデータセンター事業において、IT機器やデータの増大に伴い、コンピューター室に設置する機器が増化している。コンピューター室は、限られた部屋の広さであるが、ラックや各種設備の保守スペースを考慮する必要があるため、設置できるラック本数は限られている。
【０００３】
また、省スペース化を実現する為、特許文献１のように床面に案内レールを設けて、ラックを移動可能として、ラックを異動させて保守できるようにして保守スペースを節約する技術がある。
【先行技術文献】
【特許文献】
【０００４】
【特許文献１】特開平１１−２２５８３５号公報
【発明の概要】
【発明が解決しようとする課題】
【０００５】
コンピューター室に設置するラックスペースが満杯となった場合、新たなコンピューター室の選定、増設のため新たな投資が必要となるが、投資抑制などのため、限られたコンピューター室において、効率的にラックを配置し、なるべく多くのラックを設置させる必要性がある。特許文献１ではデータセンターでの省スペース化は考慮されていない。本発明の目的は、効率的にサーバラックを配置して、データセンターの更なる省スペース化を目的とする。
【課題を解決するための手段】
【０００６】
上記課題を解決する為に、本発明は、連結状態で並設した複数のラックユニットによって構成され、各ラックユニットは、ラックユニットを前後水平方向に移動させる案内手段を設け、ラックユニットを設置する床面に複数のラックユニットを左右水平方向へ移動させる案内手段を設けることを特徴とする。
【発明の効果】
【０００７】
効率的にサーバラックを配置することができる。
【図面の簡単な説明】
【０００８】
【図１】本発明に関わるスライド式ラック台座、ラック、耐震固定金具、フリーアクセスの概観斜面図である。
【図２】一般的なラック５０台（１０台×５列）を、コンピューター室に標準的に設置した場合の例である。
【図３】スライド式ラック台座を用いた場合の設置ラック数がどのように増加させることができるかの説明のための一例である。
【図４】スライド式ラック台座を導入時に、ラック前にて作業を実施する場合、ラックを稼動させた場合のイメージである。
【図５】スライド式ラック台座を導入時に、空調機９２にて作業を実施する場合、ラックを図面上方側へスライドさせた場合のイメージである。
【図６】スライド式ラック台座を導入してない場合に、課題となっている点の説明図面である。
【図７】スライドラック台座を導入してない場合、課題となっている点の説明図面である。
【図８】床下から電源やケーブルを引き込むための、フリーアクセスの図面である。
【発明を実施するための形態】
【０００９】
ラックは固定されるものでなく、移動できるものという発想に考えを変え、図１のスライド式ラック台座を用いて、ラックを前後左右へ移動する製品を設ける。コンピューター室においては、ラック間や空調機等の各種設備の保守および交換スペースを設けているが、必要時にラックをスライドさせて、保守スペースを確保させることとする。
【００１０】
普通は将来設置される予定のラック幅を考慮し、ラック間のラックスペースを確保しているが、想定より幅の狭いラックサイズが導入されることにより、ラック間の隙間ができ、ラック廃熱がラック隙間を通り抜けるため空調効率悪化が起こる場合がある。また、想定より幅の広いラックサイズが導入の場合、ラック間の隙間に設置できないため、ラック設置効率の悪化となる。データセンター事業者においては、拡販の機会損失となる。
【００１１】
また、ラック内に引き込まれる電源および通信ケーブルが断線しないようにケーブルの保護対策を検討する必要がある。スライド式ラック台座を左右へスライド可能とさせる場合、地震対策のためラックを耐震固定させる必要があるが、どのように耐震固定を実施するか検討する必要がある。また、既設のラックなどの兼ね合いで、フリーアクセスが取り外しできない可能性があることを考慮する必要がある。
【００１２】
図１ではラックは前後に２００ｍｍスライドできると記載しているが、各コンピューター室における空調能力、保守スペース、運用方針において可動幅は変更できるものとする。ラックに引き込まれる電源および通信ケーブルが断線しないように、蛇腹のケーブルダクト１７を設け、前後左右へスライドした場合でも、ケーブルに負荷がかからないようにし、容易にケーブルが断線しないように対策を施す。電源および通信ケーブルは、蛇腹ケーブルダクトを通じて引き込む。
【００１３】
スライド式ラック台座を用いた場合、耐震固定を実現するため、フリーアクセスには耐震固定金具３１を取り付け、スライド式ラック台座には、耐震固定部１５と固定することができる機構を設け、簡易的に固定できるようにする。これにより、ラックを左右へスライド、および新規ラックを増設都度に、フリーアクセスを取り外したりする大掛かりな耐震固定作業を不要とする。耐震固定金具３１は、スライド式ラック台座をラックの新設／撤去／スライドに備え、多様な長さとし、場所に応じて取り外しを可能とする。固定方法については、しっかりと固定できるようにボルト・ナットを用いて固定を行う。
【００１４】
耐震固定金具３１には、耐震固定ネジと同サイズのネジ穴を多数設けておく。スライド式ラック台座の下部の耐震固定部１５側には、耐震固定金具側のネジ穴と微調整ができるように、楕円状にネジ穴を設けておき、ラックの設置位置を微調整できることとする。
【００１５】
フリーアクセスは、ラックを左右へスライドやラック新設の場合でも、ケーブル引き込み位置を、フリーアクセス自体を取り外しすることなく、容易にケーブル引き込み位置を変更できるように、ケーブル引き込み口用の穴２１、２２が加工されたものとする。
【００１６】
スライド式ラック台座を前後へスライド時、ラック荷重により傾く可能性もあるため、ラック前後に傾き防止用の補助車輪１９を設ける。傾き防止補助車輪１９は、スライド式ラック台座（上段）を前後にスライドさせた際に、IT機器の重量によりラックが傾かないように、傾き防止のための補助車輪。また、スライド式ラック台座（上段）を前後に稼動した際に、符号３１耐震固定金具に干渉することがないように、スライド式ラック台座（下段）の長さは、車輪と干渉しない長さとしておく。車輪１８は、スライド式ラック台座を左右へスライドさせるための車輪である。車輪にかみ合う案内手段であるレールは床面に固定され、複数のラックが左右にスライドできるようになる。スライド式ラック台座（下段）１３は左右へスライドさせる為に設置される。また、スライド式ラック台座（上段）１２はスライド式ラック台座（下段）１３のうえにあり、前後方向にスライドさせることができる。スライド式ラック台座（下段）１３とスライド式ラック台座（上段）１２の間に案内手段となる溝を設けて、前後へ異動可能とする。
【００１７】
また、スライド式ラック台座が、地震等の際に動くことがないように、台座の上段および下段にロックできる機構をもうける。上段のロック１４とは、スライド式ラック台座（上段）部分をラック前後に可動可能とさせるロックである。スライド式ラック台座を地震対策のため、フリーアクセスに耐震固定させる固定部分１５とは、固定はボルトとナットを用い、符号３１の耐震固定金具に取付け。本固定を解除することにより、ラックを左右へ可動させることができる。一般的には、耐震固定はフリーアクセスに穴あけなどの加工が必要であるが、本固定方法により、都度フリーアクセスを空けなくても耐震固定作業が可能となる。耐震固定部側のネジ穴は、ラック設置位置を微調整できるように、楕円状とする。ケーブル引込み口１６は、床下から電源および通信ケーブルを引き込むためのケーブル引き込み口である。
【００１８】
新規にラックを導入時は、システムごとに準備されるラック１０１を、スライド式ラック台座１１にのせ、ラックと台座をボルトにより固定する。ラックを既設のラック間に設置する場合は、下段の耐震固定部１５のボルトとナットを取り外して、ラック設置位置まで左右へスライドさせる。スライド式ラック台座を耐震固定は、耐震固定金具とスライド式ラック台座の下段の耐震固定部をボルトとナットにて固定を実施する。電源および通信ケーブルのラック内引き込みは、フリーアクセス下からは、フリーアクセスの開閉可能な部分２２を取り外し、蛇腹ケーブルダクト１７を通じてケーブルを引き込む。
【００１９】
ラック内での作業時には、必要な保守スペースの確保のため、該当ラックの台座上段のロック１４を解除し、ラックを前後へ引き出す。更に保守スペースが必要の際には、図４のように近隣ラックを同様に前後にスライドさせ、保守スペースを確保する。
【００２０】
空調機の保守作業時には、図５のように対象となる空調機の前側の保守スペースを確保のため、近隣のラック列の下段の耐震固定部のボルトとナットを取り外し、全体的に必要なスペース分だけをスライドさせる。
【００２１】
ラックを撤去となる場合、該当ラックの耐震固定部１５を取り外し、該当ラックを撤去する。ラック撤去によるラック間の隙間は空調効率の悪化となるため、ラック間の隙間がなくなるように片寄せさせる。
【００２２】
図２は、一般的なラック５０台（１０台×５列）を、コンピューター室に標準的に設置した場合の例である。この場合に必要となるコンピューター室の広さは、１２ｍ×１２．２ｍとなる。空調機等をメンテナンスおよび交換するための保守スペース６０１、６０２は、本図面では必要保守スペースを１，５００ｍｍとしているが、空調機のサイズ、マシン室の形状、センタの運営方針などに応じて、センタ毎に幅は異なる。空調機等を交換時、およびラック作業時の保守スペース６０３、６０４は、本図面では１，５００ｍｍとしているが、ラックサイズ、センタの運営方針などに応じて、センタ毎に幅は異なる。ラック前面にて作業および搭載機器交換するための保守スペース６０５は、本図面では１，２００ｍｍとしているが、ラックサイズ、センタの運営方針などに応じて、センタ毎に幅は異なる。ラック後面にて作業および搭載機器交換するための保守スペース６０６は、本図面では９００ｍｍとしているが、ラックサイズ、センタの運営方針などに応じて、センタ毎に幅は異なる。
【００２３】
図３にて、スライド式ラック台座を用いた場合の設置ラック数がどのように増加させることができるかの説明のため、一例として図示したものである。図２と同じ広さ（縦１２ｍ×横１２．２ｍ）のコンピューター室に、図１に示すスライド式ラック台座を用いたラックの設置イメージである。スライド式ラック台座を用いることにより、ラックを稼動したい場合には前後左右へ移動させることができるため、保守スペースを低減させ、ラック設置本数を５０台から７２本へと１．４４倍の向上となる。増加となったラックは、ラック１２２〜１４２。本明細書においては、図１に記載するとおりに、ラックは前後には２００ｍｍ稼動できる。ラック間の保守スペースは、ラックを前後にスライドできるため、標準のラック間よりかも４００ｍｍも縮められることができる。また、ラック間を縮められたため、ラック列を１列増やすことができているが、更に図面右端の余剰エリア（符号７０５）として２００ｍｍも確保することができる。
【００２４】
スライド式ラック台座を用いた場合の空調機の保守スペース７０１、７０２は、ラックを横にスライドできるため、ラックを空調機近隣まで設置することが可能となる。スライド式ラック台座を用いた場合の保守スペース７０３、７０４は、ラックを前後に２００ｍｍスライドできるため、当初より２００ｍｍ狭めることが可能となる。余剰エリア７０５は、スライド式ラック台座を図２と図３の同じ広さのコンピューター室に導入し比較した場合、ラック間を狭められることから、ラック１３１〜１４２の一列増設でき、さらに２００ｍｍの余剰エリアができる。スライド式ラック台座を用いた場合のラック前面の保守スペース７０６は、ラックを前後に２００ｍｍスライドできるため、当初より４００ｍｍ狭めることが可能。スライド式ラック台座を用いた場合のラック後面の保守スペース７０７は、ラックを前後に２００ｍｍスライドできるため、当初より４００ｍｍ狭めることが可能である。
【００２５】
図４はスライド式ラック台座を導入時に、ラック前にて作業を実施する場合、ラックを稼動させた場合のイメージである。ラック１２２にて作業を実施する場合は、従来のラック間の保守スペース１,２００ｍｍを必要とする場合は、ラック１２２と１２４ラック間をそれぞれ２００ｍｍスライドさせることにより保守スペースを８００ｍｍから１,２００ｍｍに確保できることとなる。作業する場合にラックを動かすことで作業できるので、ラックをより多く同じ面積に詰め込むことができる。
【００２６】
図５はスライド式ラック台座を導入時に、空調機９２にて作業を実施する場合、ラックを図面上方側へスライドさせた場合のイメージである。空調機９２の保守作業、または空調機交換作業のため、空調機９２の保守スペースを図２のとおり標準時の１,５００ｍｍするため、ラック１２１〜１２２かつ１２３〜１２４を図面の上方側に全体的にスライドさせる。空調機９１、９２は、ラック内のIT機器を冷却するための空調機である。
【００２７】
図６は、スライド式ラック台座を導入してない場合に、課題となっている点を説明した図面である。既設エリアにラック２０２と２０３に当初幅７００ｍｍが追加されることと想定し、ラック２０１〜２０４間を幅１，４００ｍｍのスペースを確保していた。当初想定と異なり、ラック２０２と２０３の場所に幅６００ｍｍが追加された場合は、ラック２０３〜２０４間に幅２００ｍｍのデッドスペースができ、ラック背面からの廃熱がラック間の隙間から回りこみ、空調効率の悪化問題となる。スライド式ラック台座を導入の際には、このようなデッドスペースも、ラックを横にスライドさせデッドスペースをなくし、空調効率の改善を実施することができる。
【００２８】
図７は、スライドラック台座を導入してない場合、課題となっている点の説明図面。既設エリアにラック３０２に当初幅６００ｍｍが追加されることと想定し、ラック３０１〜３０３間を幅６００ｍｍのスペースを確保していた。当初想定と異なり、ラック３０２の場所に幅７００ｍｍの追加依頼があった際、設置幅が足りないため設置することができない。スライド式ラック台座を導入の際には、このようなラック間のスペースが不測の事態でもラックを横にスライドさせ、柔軟に想定と異なるラック幅が導入希望の際にも対応することができる。データセンター事業者においては、拡販エリアの機会損失を防ぐことができる。
【００２９】
図８は、床下から電源やケーブルを引き込むための、フリーアクセスの図面である。図１、図８のフリーアクセス２１には、中央側が開閉できるようになっている２２が、他の形状の一例についても記載する。コンピューター室において、ラックおよびフリーアクセスの配置によっては、ケーブル引き込みを可能とする開閉口に柔軟性を持たせる必要がある。開閉可能部分が床下に落ちないように、フリーアクセスの下部に、開閉可能部分が落ちないための溝を金属板などで設けることとする。また、取り外しがフリーアクセスの上部からできるように、開閉可能部分と金属板の溝を上部からネジ固定することとする。
【００３０】
フリーアクセス２１、２３、２５は、コンピューター室内に配線される電源および通信ケーブルを、床下からラック内に引き込む部分となるフリーアクセス。フリーアクセス（開閉可能）２２、２４、２６、２７は、フリーアクセスに開閉可能な部分を設けることにより、加工しなくとも簡易的にケーブル引き込み口を変更および増設できる。現状はこのような取り外し可能なフリーアクセスがないため、ラックに引き込むケーブルやラック下のフリーアクセスの配置に応じて、都度フリーアクセスの切断を実施している。ラックをスライド式とする場合は、容易にフリーアクセスを取り外しすることができなくなるため、開閉できる部分を設ける。フリーアクセスとラックの配置関係により、開閉可能口の異なるタイプをもうけることが必要となるため、その一例を示している。また、フリーアクセスの四隅は、フリーアクセスを支える支柱にのせる必要があるため、四隅には取り外し可能部分を配置していない。
【００３１】
ラックを固定するという発想から、稼動できるものという発想にし、スライド式ラック台座を導入することにより、ラックおよび空調機等の保守スペースを有効活用でき、限られたコンピューター室に設置できるラック本数を増加させることができる。本明細書においては、（図２参照）５０ラック（１０ラック×５列）を標準的に設置した場合と同じマシン室の広さにスライド式ラック台座を用いた場合の設置本数を比較検討したが、（図３参照）７２ラック（１２ラック×６列）（１．４４倍）設置できることが想定される。
【００３２】
データセンター事業者においては、拡販できるラックを飛躍的に増やすことができるため、原価低減および売上増が期待できる。スライド式ラック台座によりラックを前後へスライドできるため、図４のとおり、ラック前での作業が必要の際に、保守スペースを確保し作業実施が可能となる。
【００３３】
スライド式ラック台座によりラックを左右へスライドできるため、図５のとおり、空調機の保守作業および交換作業の際には、ラックを移動させ、保守スペースを確保可能となる。蛇腹のケーブルダクトを設けることにより、ラックが前後左右にスライドした場合でも断線のリスクを低減させることが可能となる。
【００３４】
図１の耐震固定金具を用いることにより、ラックを前後左右へスライドさせラックを導入／撤去の際でも、フリーアクセスを取り外しすることなく、簡易的に耐震固定できる設置工法となる。これにより耐震固定をラックの導入／撤去の際の作業費用を低減することができる。また、耐震固定金具を取り外し可能とすることにし、各種の長さを備えることにより、ラックの導入／撤去、および図５の空調機の保守の際でもラックを左右へスライド可能となる。
【００３５】
図８の開閉可能なフリーアクセスを設けることにより、新規にラックを導入の際にケーブル引き込み用の穴をカットしなくても、開閉口を取り除くことにより、簡易にフリーアクセスの準備が可能となる。また、システムリプレイスなどによるラックの交換により、新たにフリーアクセスを準備する必要がある際でも、フリーアクセスを交換し廃棄しなくとも、開閉可能なフリーアクセスの取り外しの穴を変更することに簡易的に対応が可能となる。
【００３６】
スライド式ラック台座に傾き防止補助車輪１９を設けることにより、ラックを前後に引き出した際でもラックの傾きを防止することができる。スライド式ラック台座の上段のロック１９、および下段の耐震固定１５を設けることにより、地震の際にも揺れを防止することができる。スライド式ラック台座の導入により左右にスライドでき、図６のように想定より幅の狭いラックがきた場合でもデッドスペースによる空調悪化が起きない改善を実施することができる。また、図７のように想定より幅の広いラックがきた場合でもラック幅を広げて、ラックを設置できることとなる。
【符号の説明】
【００３７】
１１：スライド式ラック台座、１２：スライド式ラック台座（上段）、１３：スライド式ラック台座（下段）、１１１〜１４２、２０１〜２０４、３０１〜３０３：IT機器を搭載するためのラック
【図１】
2016170457.tif 000003
【図２】
2016170457.tif 000004
【図３】
2016170457.tif 000005
【図４】
2016170457.tif 000006
【図５】
2016170457.tif 000007
【図６】
2016170457.tif 000008
【図７】
2016170457.tif 000009
【図８】
2016170457.tif 000010